(57)【要約】【課題】真直な軸部材でも剥がれなく容易に撥油剤を塗布できる動圧軸受の製造方法および動圧軸受の製造装置を提供する。【解決手段】この動圧軸受の製造方法は、ハウジング１に軸部材３を組み込んだ状態で、軸部材３の露出部３Ｂと、ハウジング１のうちの露出部３Ｂ周辺部１Ａ−１とに、同時に、潤滑剤に対して濡れ性の悪い撥油剤２６を塗布する。したがって、軸部材３とハウジング１とをそれぞれ別工程で撥油剤を塗布していた従来例と異なり、撥油剤の塗布工程が簡便になる。また、ハウジング１に軸部材３を組み込んだ状態で、撥油剤２６を塗布するので、真直な軸部材であっても、組み込み時に撥油剤が剥がれるという現象は起こらないと共に、軸部材３に目印がなくても撥油剤を容易に塗布できる。【選択図】  図１
2004239309.tif 000002
【特許請求の範囲】
【請求項１】
ハウジング内の軸受部に軸部材の被支持部が相対回転自在に支持されると共に、上記軸受部と上記被支持部が潤滑剤によって潤滑され、上記軸部材は上記ハウジングから露出する露出部を有する動圧軸受の製造方法であって、
上記ハウジングに上記軸部材を組み込んだ状態で、上記軸部材の上記露出部と、上記ハウジングのうちの上記露出部周辺とに、同時に、撥油剤を塗布することを特徴とする動圧軸受の製造方法。
【請求項２】
請求項１に記載の動圧軸受の製造方法において、
上記軸部材の露出部と上記ハウジングを、それぞれ、静圧空気軸受で支持し、
撥油剤を含浸させた多孔質の材料からなる円盤を、上記軸部材の上記露出部と上記ハウジングの上記露出部周辺とに接触させながら回転させて、
上記撥油剤を上記露出部と上記露出部周辺とに塗布することを特徴とする動圧軸受の製造方法。
【請求項３】
ハウジング内の軸受部に軸部材の被支持部が相対回転自在に支持されると共に、上記軸受部と上記被支持部が潤滑剤によって潤滑され、上記軸部材は上記ハウジングから露出する露出部を有する動圧軸受の製造装置であって、
上記ハウジングに上記軸部材を組み込んだ状態で、上記ハウジングと上記軸部材とを回転自在に支持する支持部と、
上記ハウジングと上記軸部材とに回転力を与えながら、上記軸部材の上記露出部と上記ハウジングのうちの上記露出部周辺とに、撥油剤を塗布する塗布部とを備えたことを特徴とする動圧軸受の製造装置。
【請求項４】
請求項３に記載の動圧軸受の製造装置において、
上記支持部は静圧軸受を有し、
上記塗布部は、上記軸部材の上記露出部と上記ハウジングの上記露出部周辺とに接触しながら回転すると共に、撥油剤を含浸させる多孔質の材料からなる円盤を有することを特徴とする動圧軸受の製造装置。
【発明の詳細な説明】
【０００１】
【発明の属する技術分野】
この発明は、動圧軸受の製造方法および動圧軸受の製造装置に関する。
【０００２】
【従来の技術】
従来、動圧軸受装置においては、軸受に充填した潤滑剤が大気に触れる部分（開放部）に、撥油剤をバリヤーフィルムとして塗布して、開放部から潤滑剤が漏れるのを防止していた。
【０００３】
この撥油剤の塗布方法としては、通常、軸（シャフト）をハウジング（スリーブ）に組み込む前に、軸およびスリーブにそれぞれ撥油剤を塗布していた。
【０００４】
なお、真直な軸に撥油剤を塗布した場合には、軸をスリーブに挿入する際に、軸に塗布した撥油剤が剥がれ、この剥がれた撥油剤が動圧軸受に悪影響を及ぼすので、軸には溝などの段差を設け、この段差を目印にして、撥油剤を塗布すると共に段差に撥油剤を塗布することで、撥油剤の剥がれを防いでいた。
【０００５】
【特許文献１】
実用新案登録第２５９１９３２号公報
【０００６】
【発明が解決しようとする課題】
これに対し、軸をスリーブに組み込んだ後に、軸およびスリーブに撥油剤を塗布する場合には、スリーブに軸を挿入する際の撥油剤の剥がれが起こらないから、軸に段差を設ける必要は無くなる。
【０００７】
ところで、この場合、動圧軸受に撥油剤を円周方向に塗布するには、動圧軸受を回転させながら塗布すれば、塗布部材を静止させた状態で塗布できるが、動圧軸受は軸とスリーブとが相対回転する機構であるので、スリーブを回転させても軸は必ずしもスリーブと同期回転するとは限らない。このため、軸とスリーブは静止状態とし、塗布部材を軸の外周に回転させて軸の周面に撥油剤を塗布していた。このため、軸へ撥油剤を塗布し難い上に手間が掛かっていた。
【０００８】
そこで、この発明の目的は、段差のない真直な軸部材でも剥がれなく容易に撥油剤を塗布できる動圧軸受の製造方法および動圧軸受の製造装置を提供することにある。
【０００９】
【課題を解決するための手段】
上記目的を達成するため、請求項１の発明の動圧軸受の製造方法は、ハウジング内の軸受部に軸部材の被支持部が相対回転自在に支持されると共に、上記軸受部と上記被支持部が潤滑剤によって潤滑され、上記軸部材は上記ハウジングから露出する露出部を有する動圧軸受の製造方法であって、
上記ハウジングに上記軸部材を組み込んだ状態で、上記軸部材の上記露出部と、上記ハウジングのうちの上記露出部周辺とに、同時に、撥油剤を塗布することを特徴としている。
【００１０】
この請求項１の発明では、上記ハウジングに上記軸部材を組み込んだ状態で、上記軸部材の上記露出部と、上記ハウジングのうちの上記露出部周辺とに、同時に、上記潤滑剤に対して濡れ性の悪い撥油剤を塗布する。
【００１１】
本発明では、軸部材とハウジングとをそれぞれ別工程で撥油剤を塗布していた従来例と異なり、軸部材とハウジングの両方に同時に撥油剤を塗布するので撥油剤の塗布工程が簡便になる。また、上記ハウジングに上記軸部材を組み込んだ状態で、撥油剤を塗布するので、段差のない真直な軸部材であっても、組み込み時に撥油剤が剥がれるという現象は起こらないと共に、軸部材に目印がなくても撥油剤を容易に塗布できる。
【００１２】
また、請求項２の発明は、請求項１に記載の動圧軸受の製造方法において、
上記軸部材の露出部と上記ハウジングを、それぞれ、静圧空気軸受で支持し、
撥油剤を含浸させた多孔質の材料からなる回転する円盤を、上記軸部材の上記露出部と上記ハウジングの上記露出部周辺とに接触させて、
上記撥油剤を上記露出部と上記露出部周辺とに塗布することを特徴としている。
【００１３】
この請求項２の発明では、撥油剤を含浸させた多孔質の材料からなる円盤を、上記軸部材の上記露出部と上記ハウジングの上記露出部周辺とに接触させながら回転させて、上記撥油剤を上記露出部と上記露出部周辺とに同時に塗布する。これにより、軸部材とハウジングとをすべりを生じさせることなく同期回転させることができ、潤滑剤が未充填であっても撥油剤塗布工程で軸受に損傷を与えることがない。したがって、潤滑剤を軸受に注入する前に、軸部材とハウジングとに同時に撥油剤を塗布できることになる。また、潤滑剤を軸受に注入した後に、上記撥油剤の効果でもって、軸受の外の潤滑剤をクリーニングし易くなる。なお、多孔質の材料としてはフェルト材料、綿布、化学繊維等が有る。
【００１４】
また、請求項３の発明の動圧軸受の製造装置は、ハウジング内の軸受部に軸部材の被支持部が相対回転自在に支持されると共に、上記軸受部と上記被支持部が潤滑剤によって潤滑され、上記軸部材は上記ハウジングから露出する露出部を有する動圧軸受の製造装置であって、
上記ハウジングに上記軸部材を組み込んだ状態で、上記ハウジングと上記軸部材とを回転自在に支持する支持部と、
上記ハウジングと上記軸部材とに回転力を与えながら、上記軸部材の上記露出部と上記ハウジングのうちの上記露出部周辺とに、撥油剤を塗布する塗布部とを備えたことを特徴としている。
【００１５】
この請求項３の発明では、上記支持部は、上記ハウジングに上記軸部材を組み込んだ状態で、上記ハウジングと上記軸部材とを相対回転自在に支持する。また、上記塗布部は、上記ハウジングと上記軸部材とに回転力を与えながら、上記軸部材の上記露出部と上記ハウジングのうちの上記露出部周辺とに、上記潤滑剤に対して濡れ性の悪い撥油剤を塗布する。これにより、軸部材とハウジングの両方に同時に撥油剤を塗布できて、撥油剤の塗布工程が簡便になる。また、上記ハウジングに上記軸部材を組み込んだ状態で、撥油剤を塗布するので、真直な軸部材であっても、組み込み時に撥油剤が剥がれるという現象は起こらないと共に、軸部材に目印がなくても撥油剤を容易に塗布できる。
【００１６】
また、請求項４の発明は、請求項３に記載の動圧軸受の製造装置において、
上記支持部は静圧軸受を有し、
上記塗布部は、上記軸部材の上記露出部と上記ハウジングの上記露出部周辺とに接触しながら回転すると共に、撥油剤を含浸させる多孔質のフェルト材料からなる円盤を有することを特徴としている。
【００１７】
この請求項４の発明では、上記塗布部は、撥油剤を含浸させた多孔質の材料からなる円盤を、上記軸部材の上記露出部と上記ハウジングの上記露出部周辺とに接触させながら回転させて、上記撥油剤を上記露出部と上記露出部周辺とに同時に塗布する。この円盤との摩擦による回転力が与えられ、軸部材とハウジングとをすべりを生じさせることなく同期回転させることができ、潤滑剤が未充填であっても撥油剤塗布工程で軸受に損傷を与えることがない。したがって、潤滑剤を軸受に注入する前に、軸部材とハウジングとに撥油剤を塗布できることになる。また、潤滑剤を軸受に注入した後に、上記撥油剤の効果でもって、軸受の外の潤滑剤をクリーニングし易くなる。
【００１８】
【発明の実施の形態】
以下、この発明を図示の実施の形態に基いて詳細に説明する。
【００１９】
図１に、この発明の動圧軸受の製造装置の実施形態を示す。この実施形態は、動圧軸受１０に撥油剤を塗布する装置である。この動圧軸受１０はハウジング１と軸部材３を備え、このハウジング１内の軸受部２に軸部材３の被支持部３Ａが挿入される。また、この軸受部２と被支持部３Ａとの間に潤滑剤として例えばシリコン系のオイル（図示せず）が充填され、この潤滑剤でもって軸受部２と被支持部３Ａとが相対回転自在に潤滑される。また、上記軸部材３はハウジング１の軸方向の一方の端面１Ａから露出した露出部３Ｂを有する。また、上記軸部材３の被支持部３Ａの外周面もしくは上記ハウジング１の軸受部２の周面の少なくとも一方には、ラジアル動圧溝（図示せず）が形成されている。
【００２０】
この実施形態の装置は、軸部材３の露出部３Ｂの端面３Ｂ−１に軸方向に当接される当接部１１を含む第１支持部１２を備える。この第１支持部１２は、当接部１１から軸方向に延在する支持捧１３およびこの支持捧１３の外周に配置され、この支持捧１３を径方向に支持する静圧空気軸受１５を有する。また、この第１支持部１２は、静圧空気軸受１５と当接部１１との間で、支持捧１３の外周に配されたコイルばね１６を有する。このコイルばね１６は、上記静圧空気軸受１５に対して上記当接部１１を軸部材３の端面３Ｂ−１に向かって軸方向に付勢する。
【００２１】
また、この実施形態の装置は、上記ハウジング１の底面１Ｂおよび外周面１Ｃに嵌合する嵌合部１７を含む第２支持部１８を備える。この第２支持部１８は、上記嵌合部１７から軸方向に延在する捧部２０と、この捧部２０を径方向に支持する静圧空気軸受２１を有する。上記第１支持部１２と第２支持部１８が支持部を構成している。
【００２２】
また、この実施形態の装置は、撥油剤として例えばポリテトラフルオロエチレン（ＰＴＦＥ）と揮発性溶剤との混合物を含浸させる多孔質のフェルト材料からなる薄板円盤２２を有する。この撥油剤は上記潤滑剤をはじく性質を有している。この薄板円盤２２は、モータ２３の回転駆動軸２３Ａに接続され、回転中心軸ｊを中心にして回転される。この薄板円盤２２の外周面２２Ａは、動圧軸受１０の軸部材３の露出部３Ｂの外周面３Ｂ−２に摩擦接触しながら回転し、薄板円盤２２の外周縁部２２Ｂはハウジング１の軸方向の端面１Ａのうちの露出部３Ｂに隣接する周辺部１Ａ−１に摩擦接触しながら回転する。
【００２３】
また、上記薄板円盤２２は、上記動圧軸受１０と接触する位置の反対側の位置において、撥油剤溜め部２５に溜めた撥油剤２６に浸せきされている。この薄板円盤２２とモータ２３および撥油剤溜め部２５が塗布部を構成している。なお、上記静圧空気軸受１５および２１と上記モータ２３および溜め部２５はフレーム等（図示せず）に取り付けられて図示の位置に支持固定されている。
【００２４】
上記構成の動圧軸受の製造装置によれば、第１支持部１２と第２支持部１８は、ハウジング１に軸部材３を組み込んだ状態で、軸部材３とハウジング１とを回転自在に支持する。
【００２５】
また、上記薄板円盤２２は、モータ２３に駆動されて、外周面２２Ａを軸部材３の露出部３Ｂの外周面３Ｂ−２に摩擦接触させ、外周縁部２２Ｂをハウジング１の端面１Ａのうちの露出部３Ｂの周辺部１Ａ−１に摩擦接触させながら、ハウジング１と軸部材３とに回転力を与える。同時に、薄板円盤２２は、軸部材３の露出部３Ｂとハウジング１のうちの露出部３Ｂの周辺部１Ａ−１とに、上記潤滑剤に対して濡れ性の悪い撥油剤２６を塗布する。これにより、軸部材３とハウジング１の両方に同時に撥油剤２６を塗布できて、撥油剤２６の塗布工程が簡便になる。また、ハウジング１に軸部材３を組み込んだ状態で、撥油剤を塗布するので、真直な軸部材３であっても、組み込み時に撥油剤が剥がれる現象は起こらないと共に、軸部材３に目印がなくても撥油剤を容易に塗布できる。
【００２６】
また、この実施形態では、上記撥油剤２６を含浸させた多孔質のフェルト材料からなる薄板円盤２２を、軸部材３の露出部３Ｂとハウジング１の周辺部１Ａ−１とに接触させて回転させる。これにより、軸部材３とハウジング１とをすべりを生じさせることなく同期回転させることができ、潤滑剤が未充填であっても撥油剤塗布工程で動圧軸受１０に損傷を与えることがない。したがって、潤滑剤を動圧軸受１０に注入する前に、軸部材３とハウジング１とに撥油剤２６を同時に塗布できることになる。また、潤滑剤を動圧軸受１０に注入した後に、撥油剤２６の効果でもって、軸受部２の外の潤滑剤をクリーニングし易くなる。
【００２７】
尚、上記実施形態では、ハウジング１と軸部材３を支持する支持部として静圧空気軸受１５，２１を用いたが、他のすべり軸受や転がり軸受を使用してもよい。また、上記実施形態では、塗布部として、多孔質のフェルト材料からなる薄板円盤２２を用いたが、塗布部としては、ハウジング１と軸部材３とに回転力を与えて同期回転させることができると共に軸部材３の露出部３Ｂとハウジング１の周辺部１Ａ−１とに撥油剤を同時塗布できるものであればよい。例えば、塗布部の円盤２２の材質として、フェルト材料に替えて、スポンジ，綿布，多孔質ゴム，化学繊維等を採用してもよい。また、上記実施形態では、撥油剤として、ポリテトラフルオロエチレン（ＰＴＦＥ）と揮発性溶剤との混合物を使用したが、フッ素系グリース等のフッ素系撥油剤を採用してもよい。
【００２８】
【発明の効果】
以上より明らかなように、この発明の動圧軸受の製造方法は、ハウジングに軸部材を組み込んだ状態で、軸部材の露出部と、ハウジングのうちの露出部周辺とに、同時に、潤滑剤に対して濡れ性の悪い撥油剤を塗布する。したがって、本発明では、軸部材とハウジングとをそれぞれ別工程で撥油剤を塗布していた従来例と異なり、撥油剤の塗布工程が簡便になる。また、上記ハウジングに上記軸部材を組み込んだ状態で、撥油剤を塗布するので、真直な軸部材であっても、組み込み時に撥油剤が剥がれるという現象は起こらないと共に、軸部材に目印がなくても撥油剤を容易に塗布できる。
【図面の簡単な説明】
【図１】この発明の動圧軸受の製造装置の実施形態を示す模式図である。
【符号の説明】
１  ハウジング
１Ａ  端面
１Ａ−１  周辺部
２  軸受部
３  軸部材
３Ａ  被支持部
３Ｂ  露出部
３Ｂ−１  端面
１０  動圧軸受
１１  当接部
１２  第１支持部
１３  支持捧
１５，２１  静圧空気軸受
１６  コイルばね
１７  嵌合部
１８  第２支持部
２０  捧部
２２  薄板円盤
２２Ａ  外周面
２２Ｂ  外周縁部
２３  モータ
２５  撥油剤溜め部
２６  撥油剤
【図１】
2004239309.tif 000003